(57)【特許請求の範囲】
【請求項１】
マスタシリンダとホイールシリンダ間が配管を介して連通され、前記ホイールシリンダから流出せしめられるブレーキ液を一時的に蓄積するリザーバが設けられ、前記リザーバのブレーキ液を前記ホイールシリンダに圧送可能に油圧ポンプ装置が設けられ、前記油圧ポンプ装置と前記マスタシリンダとの間に位置せしめられて、前記油圧ポンプ装置と前記マスタシリンダとの連通・遮断を制御する通常ブレーキ用常開型ソレノイドバルブが設けられ、前記ブレーキ配管の、前記油圧ポンプ装置と前記ホイールシリンダとの間に位置せしめられて、前記油圧ポンプ装置と前記ホイールシリンダとの連通・遮断を制御する第１乃至第４のブレーキ用常開型ソレノイドバルブが設けられ、前記マスタシリンダと前記油圧ポンプ装置の吸込み側の間に、前記マスタシリンダと前記油圧ポンプ装置の吸込み側との連通・遮断を制御する自動ブレーキ用常閉型ソレノイドバルブが配管接続により設けられると共に、前記自動ブレーキ用常閉型ソレノイドバルブと前記油圧ポンプ装置の吸込み側の間にブレーキ液の脈動に起因して発生する振動を減衰、抑圧せしめるダンパーが設けられてなる油圧ユニットを有してなる車両ブレーキ装置であって、
前記ダンパーは、前記マスタシリンダと前記油圧ポンプ装置の吸込み側の間の配管に連通せしめられ、径が内部に向かって段階的に小さくなるよう径の異なる複数の段部を有するシリンダと、前記シリンダの開口側に設けられたカバー部材と、前記段部の内周面に接するように配置され、前記段部の内周面より前記シリンダの開口側に突出するように設けられた支持部材と、前記カバー部材と前記支持部材の間に設けられた弾性変位部材とを具備し、
前記弾性変位部材は、前記カバー部材のフランジ部に突出形成された押止突起と前記支持部材の間に挟持されており、
前記弾性変位部材は、全体概略形状が大凡円盤状をなし、その周縁部には、前記カバー部材により前記シリンダに固定される挟持部が形成される一方、当該弾性変位部材の中央部分は、直径方向と直交する方向における厚みが、当該中央部分と前記挟持部との間の第１の変位部の厚みに比して大に設定されてなる中央変位部をなすよう構成されてなり、
前記シリンダは、前記弾性変位部材により、前記自動ブレーキ用常閉型ソレノイドバルブと前記油圧ポンプ装置の吸込み側の間の配管と連通するブレーキ液流入室と、前記カバー部材との間に画成される室とに区分されてなることを特徴とする車両ブレーキ装置。
【請求項２】
前記弾性変位部材は、前記ブレーキ液流入室へ流入したブレーキ液の圧力上昇に応じて前記カバー部材側へ変位する一方、前記ブレーキ液の圧力低下に応じて復元可能に形成されてなるものであることを特徴とする請求項１記載の車両ブレーキ装置。
【請求項３】
前記弾性変位部材の中央変位部は、前記第１の変位部よりも前記カバー部材側へ変位せしめられて形成されてなることを特徴とする請求項２記載の車両ブレーキ装置。
【請求項４】
前記中央変位部の周縁部には、環状突起部が環状に突出形成されてなることを特徴とする請求項３記載の車両ブレーキ装置。
【発明の詳細な説明】
【技術分野】
【０００１】
本発明は、車両ブレーキ装置に係り、特に、ブレーキ液の脈動に起因して発生する振動、異音等の低減、抑圧による車内静粛性の向上等を図ったものに関する。
【背景技術】
【０００２】
この種の従来装置としては、例えば、油圧ポンプの吐出側の配管途中に設けられたダンパ油圧室内に、ダイアフラムと、このダイアフラムによって仕切られた空気室からなるガスチャンバを設けて、ブレーキ液の脈動を低減可能に構成したもの等が種々提案、実用化されている（例えば、特許文献１等参照）。
【先行技術文献】
【特許文献】
【０００３】
【特許文献１】特許第４０８５６２５号公報（第３−７頁、図１−図６）
【発明の概要】
【発明が解決しようとする課題】
【０００４】
しかしながら、上記特許文献１に開示されたガスチャンバは、特に、油圧ポンプの低圧脈動の低減に効果を奏するものであり、高圧脈動に対しては必ずしも十分機能するとは言い難いものである。
また、上述のガスチャンバは、空気室が形成されたキャップに、空気室を閉塞するダイアフラムと、ダイアフラムを空気室へ接合させるプレートとを順に重ね合わせて取り付け（第１の作業）、しかる後、キャップの外周面にＯリングを取り付けた状態で、ダンパ油圧室が形成されるハウジングに取り付け（第２の作業）て完成される構成となっており、少なくとも、４つの部品（キャップ、ダイアフラム、プレート、及び、Ｏリング）が必要であることに加えて、少なくとも２回の取り付け作業が必要となり、比較的コストを要する構造となっているという問題がある。
【０００５】
本発明は、上記実状に鑑みてなされたもので、比較的簡素な構成で、ブレーキ液の脈動に起因する振動、騒音の低減、車内静粛性の向上を図った車両ブレーキ装置を提供するものである。
【課題を解決するための手段】
【０００６】
上記本発明の目的を達成するため、本発明に係る車両ブレーキ装置は、
マスタシリンダとホイールシリンダ間が配管を介して連通され、前記ホイールシリンダから流出せしめられるブレーキ液を一時的に蓄積するリザーバが設けられ、前記リザーバのブレーキ液を前記ホイールシリンダに圧送可能に油圧ポンプ装置が設けられ、前記油圧ポンプ装置と前記マスタシリンダとの間に位置せしめられて、前記油圧ポンプ装置と前記マスタシリンダとの連通・遮断を制御する通常ブレーキ用常開型ソレノイドバルブが設けられ、前記ブレーキ配管の、前記油圧ポンプ装置と前記ホイールシリンダとの間に位置せしめられて、前記油圧ポンプ装置と前記ホイールシリンダとの連通・遮断を制御する第１乃至第４のブレーキ用常開型ソレノイドバルブが設けられ、前記マスタシリンダと前記油圧ポンプ装置の吸込み側の間に、前記マスタシリンダと前記油圧ポンプ装置の吸込み側との連通・遮断を制御する自動ブレーキ用常閉型ソレノイドバルブが配管接続により設けられると共に、前記自動ブレーキ用常閉型ソレノイドバルブと前記油圧ポンプ装置の吸込み側の間にブレーキ液の脈動に起因して発生する振動を減衰、抑圧せしめるダンパーが設けられてなる油圧ユニットを有してなる車両ブレーキ装置であって、
前記ダンパーは、前記マスタシリンダと前記油圧ポンプ装置の吸込み側の間の配管に連通せしめられ、径が内部に向かって段階的に小さくなるよう径の異なる複数の段部を有するシリンダと、前記シリンダの開口側に設けられたカバー部材と、前記段部の内周面に接するように配置され、前記段部の内周面より前記シリンダの開口側に突出するように設けられた支持部材と、前記カバー部材と前記支持部材の間に設けられた弾性変位部材とを具備し、
前記弾性変位部材は、前記カバー部材のフランジ部に突出形成された押止突起と前記支持部材の間に挟持されており、
前記弾性変位部材は、全体概略形状が大凡円盤状をなし、その周縁部には、前記カバー部材により前記シリンダに固定される挟持部が形成される一方、当該弾性変位部材の中央部分は、直径方向と直交する方向における厚みが、当該中央部分と前記挟持部との間の第１の変位部の厚みに比して大に設定されてなる中央変位部をなすよう構成されてなり、
前記シリンダは、前記弾性変位部材により、前記自動ブレーキ用常閉型ソレノイドバルブと前記油圧ポンプ装置の吸込み側の間の配管と連通するブレーキ液流入室と、前記カバー部材との間に画成される室とに区分されてなるものである。
【発明の効果】
【０００７】
本発明によれば、ダンパーを構成する弾性変位部材に、大小厚みの異なる部位を形成し、ブレーキ液圧の低い領域で変位する部分と、ブレーキ液圧の高い領域で変位する部分とが生ずるように構成したので、従来と異なり、ブレーキ液圧が低圧のみならず、高圧の場合にもダンパーとして機能し、ブレーキ液の脈動に起因する振動、騒音を確実に低減、抑圧することができ、ひいていは車内静粛性の向上に寄与するという効果を奏するものである。
また、シリンダの開口部分において、カバー部材と支持部材に弾性変位部材が挟持されるように設けられる構成としたので、従来に比して、比較的簡素な構成となり、しかも、組み立て作業が従来に比して簡素となるので、従来に比して、より低価格化を図ることができる。
【図面の簡単な説明】
【０００８】
【図１】本発明の実施の形態における車両ブレーキ装置の構成例を示す構成図である。
【図２】本発明の実施の形態における車両ブレーキ装置に用いられるダンパーの縦断面図である。
【図３】図２に示されたダンパーを構成する弾性変位部材の全体斜視図である。
【図４】図３に示されたダンパーのブレーキ液注入室の脈動による液圧増加が比較的低圧域の場合の弾性変位部材の変位の様子を模式的に示す模式図である。
【図５】図３に示されたダンパーのブレーキ液注入室の脈動による液圧増加が比較的高圧域の場合の弾性変位部材の変位の様子を模式的に示す模式図である。
【発明を実施するための形態】
【０００９】
以下、本発明の実施の形態について、図１乃至及び図５を参照しつつ説明する。
なお、以下に説明する部材、配置等は本発明を限定するものではなく、本発明の趣旨の範囲内で種々改変することができるものである。
最初に、本発明の実施の形態における車両ブレーキ装置の構成について、図１を参照しつつ説明する。
図１には、いわゆる還流型のアンチロックブレーキ制御機能、及び、横滑り防止機能を備えた自動四輪車用の車両ブレーキ装置における配管系統を中心に表した構成例が示されている。
【００１０】
かかる車両ブレーキ装置は、ブレーキ操作子としてのブレーキペダル４０の踏み込みを、その踏み込み量に応じた油圧に変換するブレーキマスタシリンダ１と、４つの車輪に対応して設けられた４つのホイールシリンダ２０１〜２０４と、ブレーキマスタシリンダ１とホイールシリンダ２０１〜２０４との間に設けられた液圧制御ユニット１０１とに大別されて構成されたものとなっている。
【００１１】
ブレーキマスタシリンダ１とブレーキペダル４０との間には、ブレーキペダル４０の踏み込み力を増圧するためのブースタ２が設けられている。
そして、ブレーキマスタシリンダ１とホイールシリンダ２０１〜２０４との間に設けられた液圧制御ユニット１０１は、次述するように構成されたものとなっている。
すなわち、液圧制御ユニット１０１は、ブレーキマスタシリンダ１側に２つのマスタ側接続口３ａ，３ｂを、ホイールシリンダ２０１〜２０４側に４つのホイール側接続口４ａ〜４ｄを、それぞれ有し、ブレーキマスタシリンダ１、及び、ホイールシリンダ２０１〜２０４は、対応する接続口に配管接続されたものとなっている。
【００１２】
なお、図１において、”ＦＲ  Ｗ／Ｃ”は右前輪ホイールシリンダ２０１を、”ＲＬ  Ｗ／Ｃ”は左後輪ホイールシリンダ２０２を、”ＲＲ  Ｗ／Ｃ”は右後輪ホイールシリンダ２０３を、”ＦＬ  Ｗ／Ｃ”は左前輪ホイールシリンダ２０４を、それぞれ表している。
【００１３】
また、液圧制御ユニット１０１は、４つのホイールシリンダ２０１〜２０４に対応して、４つの第１乃至第４のブレーキ用常開型ソレノイドバルブ（図１においては「ＥＶ」と表記）５ａ〜５ｄと、４つの第１乃至第４の放出用常閉型のソレノイドバルブ（図１においては「ＡＶ」と表記）６ａ〜６ｄとを有している。
第１乃至第４のブレーキ用常開型ソレノイドバルブ５ａ〜５ｄは、後述する油圧ポンプ装置５０の吐出し側とホイールシリンダ２０１〜２０４とを接続するブレーキ配管１５ａ〜１５ｄにより配管接続されて、油圧ポンプ装置５０の吐出し側とホイールシリンダ２０１〜２０４との間に設けられたものとなっている。
また、第１乃至第４の放出用常閉型のソレノイドバルブ６ａ〜６ｄは、後述する油圧ポンプ装置５０の吸込み側とホイールシリンダ２０１〜２０４とを接続する副ブレーキ配管１６ａ〜１６ｄにより配管接続されて、油圧ポンプ装置５０の吸込み側とホイールシリンダ２０１〜２０４の間に設けられたものとなっている。
【００１４】
さらに、液圧制御ユニット１０１は、油圧ポンプ装置５０を有しており、かかる油圧ポンプ装置５０は、駆動モータ７と、この駆動モータ７の出力軸（図示せず）に固着された図示されない固定カムによって往復動される２つのプランジャ８ａ，８ｂを有して構成されたものとなっている。
そして、油圧ポンプ装置５０を駆動することで、第１乃至第４のブレーキ用常開型のソレノイドバルブ５ａ〜５ｄを介して各ホイールシリンダ２０１〜２０４にブレーキ圧を流入せしめてブレーキ液圧を高めることができる一方、第１乃至第４の常閉型のソレノイドバルブ６ａ〜６ｄを介して各ホイールシリンダ２０１〜２０４のブレーキ液をリザーバ１１ａ，１１ｂへ貯めてブレーキ液圧を弛めることができるようになっている。
【００１５】
また、油圧ポンプ装置５０の駆動により、リザーバ１１ａ，１１ｂや配管内のブレーキ液を吸い上げて、ブレーキマスタシリンダ１及びホイールシリンダ２０１〜２０４側にブレーキ液を送ることができるようになっている。
液圧制御ユニット１０１には、さらに、ブレーキマスタシリンダ１と油圧ポンプ装置５０の吐出し側との間に、２つの通常ブレーキ用常開型ソレノイドバルブ（図１においては「ＵＳＶ」と表記）２１ａ，２１ｂが配管接続されて設けられる一方、油圧ポンプ装置５０の吸込み側とのブレーキマスタシリンダ１との間に、２つの自動ブレーキ用常閉型ソレノイドバルブ（図１においては「ＨＳＶ」と表記）２２ａ，２２ｂが、自動ブレーキ配管１７ａ，１７ｂにより配管接続されて設けられている。
【００１６】
そして、本発明の実施の形態においては、２つの自動ブレーキ用常閉型ソレノイドバルブ２２ａ，２２ｂと油圧ポンプ装置５０の吸込み側との間の自動ブレーキ配管１７ａ，１７ｂの適宜な位置に、油圧ポンプ装置５０の動作時に発生するブレーキ液の脈動が液圧制御ユニット１０１の外部に伝達されるのを抑圧、低減するためのダンパー１２ａ，１２ｂが設けられている（詳細は後述）。
【００１７】
次に、かかる構成におけるブレーキ動作は、基本的に、この種の従来装置における動作と同様であるので、以下に、概括的に説明することとする。
まず、通常、２つの通常ブレーキ用常開型ソレノイドバルブ２１ａ，２１ｂは開弁状態にある一方、自動ブレーキ用常閉型ソレノイドバルブ２２ａ，２２ｂは閉弁状態となっている。
【００１８】
かかる状態において、ブレーキペダル４０が踏み込まれると、その踏み込みに応じて、ブレーキマスタシリンダ１から、ブレーキ液が第１乃至第４のブレーキ用常開型ソレノイドバルブ５ａ〜５ｄを介してホイールシリンダ２０１〜２０４に供給され、ホイールシリンダ２０１〜２０４におけるブレーキ力が発生する。
また、図示されない電子制御ユニットにおいて、アンチロックブレーキ制御が必要と判断されると、通常ブレーキ用常開型ソレノイドバルブ２１ａ，２１ｂが励磁されて閉弁状態とされ、ブレーキマスタシリンダ１とホイールシリンダ２０１〜２０４間の連通が遮断され、ホイールシリンダ２０１〜２０４の液圧が一定に保持される。
【００１９】
そして、さらに、電子制御ユニット（図示せず）において、ブレーキを弛めるべきであると判断されると、第１乃至第４の放出用常閉型ソレノイドバルブ６ａ〜６ｄが励磁されて、開弁状態とされ、ホイールシリンダ２０１〜２０４のブレーキ液が第１乃至第４の放出用常閉型ソレノイドバルブ６ａ〜６ｄを介してリザーバ１１ａ，１１ｂへ排出され、ブレーキ力が弛められるようになっている。
【００２０】
また、電子制御ユニット（図示せず）において、例えば、左前輪ホイールシリンダ２０４に対してブレーキ力を発生させる必要があると判断されると、一方の自動ブレーキ用常閉型ソレノイドバルブ２２ｂが励磁されて開弁状態とされると共に、油圧ポンプ装置５０が駆動され、ブレーキマスタシリンダ１のブレーキ液が一方の自動ブレーキ用常閉型ソレノイドバルブ２２ｂを介して油圧ポンプ装置５０に吸い上げられ、その後、ブレーキ液は、油圧ポンプ装置５０から吐き出されて、第４のブレーキ用常開型ソレノイドバルブ５ｄを介して左前輪ホイールシリンダ２０４へ流入せしめられ、強制的にブレーキ力が発生せしめられることとなる。
【００２１】
次に、本発明の実施の形態におけるダンパー１２ａ，１２ｂについて、図２及び図５を参照しつつ説明する。
本発明の実施の形態におけるダンパー１２ａ，１２ｂは、液圧制御ユニット１０１を構成する液圧ハウジング３０に凹設形成されたシリンダ３１と、このシリンダ３１の開口面側に設けられたカバー部材３２及び支持部材３３と、並びに、弾性変位部材３４とに大別されて構成されたものとなっている。
シリンダ３１は、開口部３１ａ側からシリンダ頭部３１ｂ側へ向かって、径が段階的に小さくなるようにして、第１中空部３５ａ、第２中空部３５ｂ、第３中空部３５ｃ、及び、第４中空部３５ｄが扁平円筒状に形成されたものとなっている。
【００２２】
第４中空部３５ｄは、自動ブレーキ用常閉型ソレノイドバルブ２２ａ，２２ｂと油圧ポンプ装置５０の吸込み側との間の自動ブレーキ用管１７ａ，１７ｂに連通せしめられたものとなっている。
一方、第１中空部３５ａには、カバー部材３２が、その周縁部分で図示されないかしめ等により固着され取り付けられるものとなっている。
【００２３】
本発明の実施の形態のカバー部材３２は、その全体の概略外観形状が大凡カップ状に形成され、室形成用凹部３２ａを有してなるもので、最も大径となるフランジ部３２ｂは第１中空部３５ａの内径と同一の外径に設定されたものとなっている。かかるカバー部材３２は、室形成用凹部３２ａが第２中空部３５ｂ側に臨むようにして、フランジ部３２ｂが第１中空部３５ａに固着されて開口部３１ａを閉鎖するように取り付けられるものとなっている。
【００２４】
また、本発明の実施の形態におけるカバー部材３２は、室形成用凹部３２ａの周縁部分付近に、室形成用凹部３２ａと反対方向へ押止突起３２ｃが環状に突出形成されており、後述するように、支持部材３３との間で、弾性変位部材３４の第１変位部３４ｃの一部を挟持するようになっている。
【００２５】
支持部材３３は、やや扁平、かつ、環状に形成されたものとなっており、その外径は、第３中空部３５ｃの内径と同一に設定される一方、その厚み、すなわち、径方向と直交する方向の厚み（図２において紙面左右方向）は、第３中空部３５ｃの軸方向の長さ、すなわち、径方向と直交する方向の長さよりもやや大に設定されたものとなっている（図２参照）。
かかる支持部材３３は、その外周面が第３中空部３５ｃの内周面に接するように嵌合されて、後述するようにカバー部材３２との間に弾性変位部材３４が挟持されるようになっている。
【００２６】
弾性変位部材３４は、その全体の概略外観形状が円盤状に形成され、その直径は、第２中空部３５ｂの内周と同一に設定されたものとなっている（図２及び図３参照）。なお、弾性変位部材３４は、可塑性、復元性のある良好な弾性力と、ブレーキ液に対する良好な耐腐食性を有する部材、例えば、ＥＰＤＭゴム材などを用いるのが好適である。
この弾性変位部材３４の周縁部分は、後述するようにカバー部材３２によりシリンダ３１に固定される挟持部３４ａとなっている。かかる挟持部３４ａは、直径方向と直交する方向の断面形状が大凡楕円形状となるよう形成されており、後述するようにカバー部材３２と第２中空部３５ｂの段部に挟持、固定された際に圧縮されて、図２に示されたように、その断面形状が大凡矩形状をなすものとなっている。
本発明の実施の形態において、この挟持部３４ａは、直径方向と直交する方向の長さが、第２中空部３５ｂの軸方向の長さ（図２において紙面左右方向）よりも大きく設定されると共に、横方向の長さ、すなわち、直径方向に沿った長さが、第２中空部３５ｂの段部３６の長さ、すなわち、第２中空部３５ｂの直交方向に沿った長さとほぼ同一に設定されたものとなっている。
【００２７】
さらに、弾性変位部材３４は、その中央部付近が、挟持部３４ａを除いた残余の部位に比して、直径方向と直交する方向の厚みが大に設定された中央変位部３４ｂとなっており、この中央変位部３４ｂと挟持部３４ａの間は、中央変位部３４ｂに比して、直径方向と直交する方向の厚みがやや小さく設定された第１変位部３４ｃとなっている。
さらに、本発明の実施の形態における中央変位部３４ｂは、第１変位部３４ｃよりもカバー部材３２側に変位して形成される共に、その周縁部分に環状突起３４ｄが形成されたものとなっている（図２及び図３参照）。
【００２８】
かかる弾性変位部材３４は、中央変位部３４ｂが、カバー部材３２の室形成用凹部３２ａ側に位置し、挟持部３４ａの外周面がシリンダ３１の第２中空部３５ｂの内周面に接して嵌合するように取り付けられるものとなっている。
弾性変位部材３４の取り付けにおいては、最初に、支持部材３３が第３中空部３５ｃに内挿され、次いで、弾性変位部材３４が第２中空部に内挿され、最後に、カバー部材３２が第１中空部３５ａに内挿されるものとなっている。
【００２９】
カバー部材３２が第１中空部３５ａに取り付けられた状態において、弾性変位部材３４の挟持部３４ａは、カバー部材３２のフランジ部３２ｂと第２中空部３５ｂの段部３６との間に挟持、固定されると共に、挟持部３４ａに続く第１変位部３４ｃの一部が、押止突起３２ｃと支持部材３３との間に挟持されるようになっている（図２参照）。
上述のように弾性変位部材３４がシリンダ３１に取り付けられることによって、シリンダ３１内は、カバー部材３２と弾性変位部材３４との間に室３７が画成される一方、その反対側、すなわち、弾性変位部材３４とシリンダ頭部３１ｂとの間にブレーキ液流入室３８が画成されるものとなっている。
【００３０】
従来、挟持部３４ａに続く部位を、押止突起３２ｃと支持部材３３との間に挟持するような構成のものはなく、そのため、弾性変位部材３４がカバー部材３２側へ大きく変位した場合、挟持部３４ａの部分に大きな引っ張り力が作用し、挟持部３４ａの一部、又は、最悪時には、全部が、フランジ部３２ｂと段部３６に相当する部位から抜け出てしまうようなことがあったが、本発明の実施の形態においては、上述のように、押止突起３２ｃと支持部材３３との間に挟持される部位を設けることで従来のような問題発生が確実に回避されるものとなっている。
なお、カバー部材３２の押止突起３２ｃの位置や、押止突起３２ｃから径方向の外側方向におけるフランジ部３２ｂの長さなどは、弾性変位部材３４が上述のように第２中空部３５ｂに内装されるよう予め設定されたものとなっている。
【００３１】
次に、上述のように弾性変位部材３４がシリンダ３１内に取り付けられた状態におけるダンパー１２ａ，１２ｂの作用について、図４及び図５を参照しつつ説明する。
例えば、油圧ポンプ装置５０が駆動されてリザーバ１１ａ，１１ｂや配管内のブレーキ液の吸い上げが行われ、ブレーキマスタシリンダ３１やホイールシリンダ２０１〜２０４へブレーキ液を送り込むような場合に、ブレーキ液の脈動が生じることがある。このような脈動は、液圧制御ユニット１０１内の配管を介してブレーキマスタシリンダ１へ伝達され、ブレーキペダル４０の振動や異音の発生を招く等の現象が発生することがあるが、本発明の実施の形態においては、ダンパー１２ａ，１２ｂが設けられているため、脈動がダンパー１２ａ，１２ｂにおいて減衰、抑圧され、上述の振動や異音の発生が抑圧、防止されるものとなっている。
【００３２】
すなわち、脈動によるブレーキ液流入室３８の圧力の増大が比較的低圧域で生じた場合、弾性変位部材３４の第１変位部３４ｃは、先に説明したように、その厚みが中央変位部３４ｂに比して小さいため、中央変位部３４ｂよりも先に室３７側へ変形、変位することとなる（図４参照）。この第１変位部３４ｃの室３７側への変位によってブレーキ液流入室３８の容積が増加することとなるため、脈動によるブレーキ液流入室３８の圧力上昇が低減され、脈動に伴う振動等の発生が低減、抑圧されることとなる。
【００３３】
一方、ブレーキ液流入室３８の圧力がさらに上昇し、第１変位部３４ｃの変位では十分吸収しきれない場合には、第１変位部３４ｃに続いて、中央変位部３４ｂが室３７側へ変位し、第１変位部３４ｃ同様、ブレーキ液流入室３８の容積を増加させるため、脈動がさらに低減、抑圧されることとなる（図５参照）。
なお、ブレーキ液流入室３８の圧力上昇がさらに大きい場合には、環状突起３４ｄの部分がカバー部材３２に接する状態となる（図示省略）。
なお、上述した本発明の実施の形態において、ダンパー１２ａ，１２ｂは、自動ブレーキ用常閉型ソレノイドバルブ２２ａ，２２ｂと油圧ポンプ装置５０の吸込み側との間に設けられるものとしたが、設置位置はこれに限定される必要はなく、ブレーキマスタシリンダ１と油圧ポンプ装置５０の吸込み側との間に設けられるものであれば、この間の特定の箇所に限定される必要はなく、任意の箇所に設けて良いものである。例えば、ブレーキマスタシリンダ１と自動ブレーキ用常閉型ソレノイドバルブ２２ａ，２２ｂの間に設けるようにしても好適である。
【産業上の利用可能性】
【００３４】
比較的簡素な構造で、ブレーキ液の脈動に起因する振動、騒音の低減、抑圧が所望される車両ブレーキ装置に適用できる。
【符号の説明】
【００３５】
１…ブレーキマスタシリンダ
１２ａ，１２ｂ…ダンパー
３１…シリンダ
３２…カバー部材
３３…支持部材
３４…弾性変位部材
１０１…液圧制御ユニット
２０１〜２０４…ホイールシリンダ
【図１】
0006521589.tif 000002
【図２】
0006521589.tif 000003
【図３】
0006521589.tif 000004
【図４】
0006521589.tif 000005
【図５】
0006521589.tif 000006